(57)【要約】【課題】挿通枠に被覆体を被せた尾錠を得る。【解決手段】本発明による尾錠２０は金属製のコ字形の挿通枠２１と、係合棒２２と、連結ピン２３と、被覆体である筒体２４とよりなる。挿通枠２１は、両外側の縦枠２１ａと、縦枠間の直線状の横枠２１ｂとよりなる。筒体２４は天然皮革、合成皮革、ゴム、合成樹脂等の材料で円筒状に作られる。筒体２４の外表面には、絵柄、記号、数字、言葉、ブランド名、ブランドマーク、などの模様２５が形成される。連結ピン２３はピン２３ａが両端よりばねにより突出したばね棒よりなる。挿通枠２１の横枠２１ｂは円柱状であることが好ましい。【選択図】　　　図１
2004135745.tif 000002
【特許請求の範囲】
【請求項１】
バンドの端部に取り付けられた挿通枠と係合棒とを備えた帯状装身具の尾錠であって、
挿通枠の枠縁に筒体が挿通されて、枠縁に筒体が取り付けられる帯状装身具の尾錠。
【請求項２】
請求項１に記載の帯状装身具の尾錠であって、
筒体が皮革から成る帯状装身具の尾錠。
【請求項３】
請求項１に記載の帯状装身具の尾錠であって、
筒体が可撓性材料から成る帯状装身具の尾錠。
【請求項４】
請求項１に記載の帯状装身具の尾錠であって、
筒体が、挿通枠の枠縁におけるバンド幅方向に沿って延びる横枠に取り付けられる帯状装身具の尾錠。
【請求項５】
請求項１から４のいずれかに記載の帯状装身具の尾錠であって、挿通枠の枠縁が円柱状である帯状装身具の尾錠。
【請求項６】
請求項１から５のいずれかに記載の帯状装身具の尾錠であって、挿通枠の枠縁が直線状である帯状装身具の尾錠。
【請求項７】
請求項１から６のいずれかに記載の帯状装身具の尾錠であって、筒体が直線状の円筒である帯状装身具の尾錠。
【請求項８】
請求項１から７のいずれかに記載の帯状装身具の尾錠であって、筒体が、挿通枠の横枠に回転可能に嵌合する帯状装身具の尾錠。
【請求項９】
請求項１から８のいずれかに記載の帯状装身具の尾錠であって、筒体の表面に模様が形成されている帯状装身具の尾錠。
【請求項１０】
請求項９に記載の帯状装身具の尾錠であって、
筒体の表面に複数の模様が形成され、
筒体の回転によって、模様の位置が移動する帯状装身具の尾錠。
【請求項１１】
請求項１から１０のいずれかに記載の帯状装身具の尾錠であって、複数の筒体が挿通枠に取り付けられる帯状装身具の尾錠。
【請求項１２】
請求項１から１０のいずれかに記載の帯状装身具の尾錠であって、複数の筒体が横枠に回転可能に嵌合してなる帯状装身具の尾錠。
【請求項１３】
請求項１から１２のいずれかに記載の帯状装身具の尾錠であって、筒体が挿通枠の開放端部より挿通される帯状装身具の尾錠。
【請求項１４】
請求項１から１２のいずれかに記載の帯状装身具の尾錠であって、筒体が、挿通枠の横枠に被覆体を巻きつけて形成される帯状装身具の尾錠。
【発明の詳細な説明】
【０００１】
【発明の属する技術分野】
本発明は、腕時計、ブレスレット、ネックレス、あるいはベルトなどの帯状装身具の尾錠に関する。
【０００２】
【従来の技術】
腕時計やブレスレットなどの帯状装身具には、天然皮革や合成皮革から成る皮革製バンド、合成樹脂製バンド、ゴム製バンド、あるいはメッシュバンドなど、柔軟に屈曲する可撓性バンドがしばしば用いられる。そして、これら可撓性バンドの一方と他方とを連結する中留として、尾錠を用いた中留が広く用いられている。
この尾錠をさらに装飾し、よって帯状装身具の美観をさらに向上させようとする試みとして、たとえば、尾錠の挿通枠を被覆体で覆った構造が知られている。その一例として、図１０と図１１に示すように、尾錠の挿通枠を、被覆体である皮革で覆った構造が、すでに提案されている（特許文献１参照。）。
【０００３】
すなわち、一方のバンド１の一端に、挿通枠２と係合棒３とから構成される尾錠４が取り付けられる。他方のバンド５の一端には、複数の係合孔６が貫通して穿設されている。
そして、挿通枠２の内側に他方のバンド５の一端が挿通され、次いで係合棒３が他方のバンドにおける係合孔６の１つに挿入される。よって、一方のバンドと他方バンドとが尾錠を介して連結される。
【０００４】
尾錠の挿通枠２は、図１１に示すように断面がおおよそ矩形である金属製の角柱をＵ字型に湾曲してなる枠縁１０とその枠縁１０の表面に、天然皮革や合成皮革から成る皮革製の巻き体が巻かれている。被覆体である巻き体７は、挿通枠よりやや大きいＵ字型を成す。この巻き体の一方の縁からは、３片の舌片状の留め代８が突出している。
枠縁１０に巻かれた巻き体７の留め代８が、巻き体の他方の縁にそれぞれ重ねられ接合されている。この重合部において、互いに重ねられた留め代８と他方の縁が縫合される。
【０００５】
一方のバンドと他方バンドの他端それぞれは、帯状装身具を構成する他の部品に連結される。たとえば、腕時計ならば、一方のバンドと他方バンドの他端それぞれは、ムーブメントを収納するケースに連結される。あるいはブレスレットならば、これらの他端それぞれは、輝石を配置した基台などに連結される。
【０００６】
この構造は、金属製の挿通枠２が皮革製の巻き体で覆われるため、尾錠の挿通枠の外観に高級感を付与できるばかりか、金属製の挿通枠によって、携帯者の衣服や身体を傷つける危険性を排除できるという利点をもたらす。
【０００７】
【特許文献１】
実開昭５８−９５７１６号公報（第１頁、第１〜３図）
【０００８】
【発明が解決しようとする課題】
しかしながら、この尾錠には、製造上の課題、それに付随する外観上の課題が残る。
すなわち、このようなＵ字型の挿通枠に、同じようなＵ字型の巻き体７を、体裁良く被せることは極めて困難である。よって、挿通枠に巻かれた巻き体には、多くの皺が形成され、尾錠の美観を損ねてしまう。
また、このような角柱状の挿通枠に対して、隙間無く巻き体を被せることも、極めて困難である。よって、挿通枠と巻き体の間には隙間１１が形成されるため、挿通枠に対して巻き体がだぶついてしまう。これも、尾錠の美観や装着感を著しく損ねてしまう。
したがって、この構造は、被覆体で尾錠の挿通枠を覆っても、挿通枠を充分に装飾することができなかったばかりか、このような被覆体で覆われた挿通枠を容易に製造することもできなかった。
【０００９】
そこで、本発明の第１の目的は、従来に比べて体裁良く、挿通枠が被覆体で覆われる帯状装身具の尾錠を提供することにある。
また、本発明の第２の目的は、従来に比べて容易に製造できる、挿通枠が被覆体で覆われる帯状装身具の尾錠を提供することにある。
【００１０】
【課題を解決するための手段】
この課題を解決するために、本発明の帯状装身具の尾錠は、被覆体として筒体を用いる。そして、筒体に対して尾錠の挿通枠の枠縁が挿通される。これにより、枠縁に筒体が取り付けられる。この筒体によって、尾錠の挿通枠が装飾される。かつ、このような尾錠は極めて容易に製造できる。
筒体の素材は、たとえば天然皮革や合成皮革であってもよい。
あるいは、本発明は、筒体の素材を、合成樹脂やゴムのような可撓性材料とすることもできる。
【００１１】
ここで、挿通枠における筒体が取り付けられる枠縁を円柱状とすれば、被覆体を枠縁に容易に巻き付けることができる。そして、被覆体の一方の端部と他方の端部とを接合して筒体とすることができる。枠縁が円柱状であるため、この作業は極めて容易である。
かつ、枠縁が円柱状であると、このように挿通枠に巻き付けられた筒体には皺が寄りにくいので、筒体によって挿通枠が美しく装飾される。
あるいは、挿通枠の枠縁が円柱状であると、完成された筒体に対して枠縁が容易に挿通される。この場合、筒体に対して挿通枠が挿通されるだけで、筒体は挿通枠に保持されるので、この尾錠は容易に製造される。特に、筒体が可撓性材料から成る場合、筒体を弾性的に拡開させることによって、筒体が挿通枠に極めて容易に被せられる。かつ、筒体の内周面が枠縁の外周面に弾性的に圧接するので、筒体の内周面が枠の外周面との間に隙間が発生しない。よって、挿通枠に対して筒体がだぶつかないので、筒体によって挿通枠が美しく装飾される。
【００１２】
また、本発明は、挿通枠における直線的に延びる枠縁が筒体に挿通されるようにしてもよい。すると、被覆体を枠縁に巻き付けて筒体とする作業がさらに容易になる。かつ、枠縁に巻き付けられた筒体には、さらに皺が寄りにくくなるので好ましい。
あるいは、挿通枠の枠縁が直線的に延びていると、完成された筒体を枠縁に挿通する作業がさらに容易になる。
【００１３】
このような直線的に延びる円柱状の枠縁に、被覆体を巻き付けて筒体とすれば、筒体は、美しい直線的な中空の円柱となるので、この筒体によって挿通枠が美しく装飾される。
あるいは、完成された筒体が直線的な中空の円柱であれば、直線的に延びる円柱状の枠縁が、筒体に対して極めて容易に挿通される。
【００１４】
このように筒体が取り付けられる挿通枠の枠縁は、バンドの幅方向に沿った横枠であっても、バンドの長さ方向に沿った縦枠であってもよい。しかしながら、尾錠の美観を考慮すれば、筒体が取り付けられる枠縁は、横枠であることが好ましい。あるいは、筒体が取り付けられる枠縁は、バンドの幅方向の横枠のみとしてもよい。
【００１５】
また、本発明は、筒体を、挿通枠の枠縁の廻りを回転できるように枠縁に取り付けることができる。この場合、筒体は、挿通枠の枠縁に対して摺動するように回転してもよい。あるいは、尾錠の外観を損ねない程度のわずかな隙間が、筒体の内周面と枠縁の外周面との間に設けられてもよい。
このようにすると、挿通枠の枠縁に対して筒体が回転するので、さらにおもしろい趣のある尾錠を提供できる。このように筒体が回転可能に取り付けられる挿通枠の枠縁は、横枠であっても縦枠であってもよい。
【００１６】
また、筒体と接触した他方のバンドが、筒体の回転によって、挿通枠の内部に容易に挿通されるので、錠止作業が容易な尾錠を提供できる。この場合、筒体が取り付けられる挿通枠の枠縁は、横枠であることが好ましい。あるいは、筒体が取り付けられる枠縁は、バンドの幅方向の横枠のみとしてもよい。
また、挿通枠の枠縁が円柱状、特に直線的に延びる円柱状であれば、枠縁に対する筒体の回転が円滑になるので好ましい。加えて、筒体が直線的な中空の円柱であれば、枠縁に対する筒体の回転がさらに円滑になるので好ましい。
【００１７】
また、本発明は、筒体の表面に模様を形成することができる。模様は、絵柄、記号、数字、言葉、ブランド名、ブランドマーク、キャラクターなど、筒体を装飾できるものであれば何であってもよい。これにより、さらに美しく挿通枠が装飾される。この模様は、筒体に対して、印刷、型打ち、穿設、レーザー刻印などの手法で形成されてもよい。あるいは、電鋳などによって形成された金属の模様が筒体に貼着されてもよい。しかしながら、模様の形成方法は、これらの手法に限定されるわけではない。
【００１８】
この場合、本発明は、筒体の表面に複数の模様が形成され、筒体の回転によって、模様の位置が移動するようにしてもよい。すると、筒体の回転によって、視認される模様が変わるので、挿通枠が様々に装飾される。
【００１９】
また、本発明は、複数の筒体が挿通枠に取り付けられてもよい。すると、さらに挿通枠が美しく装飾される。
【００２０】
このように、本発明に係わる筒体は、挿通枠の開放端部より挿通されて、挿通枠に取り付けられてもよい。
あるいは、本発明に係わる筒体は、挿通枠に被覆体を巻きつけて取り付けられてもよい。この場合、枠に巻き付けられた被覆体の一方の端部と他方の端部とを接合して筒体とすることができる。本発明は、これらを接合するに、接着や超音波溶着などの手法を用いることができる。しかしながら、接合方法は、これらの手法に限定されるわけではない。
【００２１】
【発明の実施の形態】
（第１実施形態）
図１は本発明の第１実施形態による尾錠を示す分解斜視図、図２はその尾錠を示す斜視図、図３は切断側面図である。
本発明による尾錠２０は挿通枠２１と、係合棒２２と、連結ピン２３と、筒体２４とよりなる。挿通枠２１は、金属製の円柱をおおよそコ字形に曲げて形成される。挿通枠２１の枠縁は、両外側の縦枠２１ａと、縦枠間の直線状の横枠２１ｂとよりなる。縦枠２１ａは、バンドの長手方向に沿って延びる円柱であり、横枠２１ｂは、バンドの幅方向に沿って延びる円柱である。縦枠２１ａと横枠２１ｂとをつなぐコーナー部は湾曲するが、このコーナー部を除き、縦枠２１ａも横枠２１ｂも直線状に延びる。
【００２２】
筒体２４は、たとえばゴムや合成樹脂等の弾性材料で形成された、可撓性のある円筒である。筒体２４は、横枠２１ｂに嵌合できる長さを備え、直線状に延びる。筒体２４の円周方向表面に模様２５として、アルファベット「ＡＢＣ」が形成される。このような直線的な中空の円柱である筒体２４は、たとえば射出成形で形成される。あるいは、筒体２４は、直線状に延びる長い筒体を適宜な長さに切断されても形成される。
連結ピン２３として、ピン２３ａがその両端よりばねで付勢されて突出した、ばね棒が用いられる。
【００２３】
次に組立連結方法について説明する。
先ず、縦枠２１ａの開放端部である基端を筒体２４の内部に挿入して嵌める。そして、筒体２４を縦枠２１ａに沿って移動させ、図２に示すように横枠２１ｂに位置させる。この作業は、筒体２４を弾性的に拡開させることによって、極めて容易になされる。
次に、係合棒２２を一方のバンド２６の端部に形成された連結輪状部２７の溝２７ａに挿入し、連結ピン２３を輪状部２７にその一端より挿入する。そして、連結ピン２３を、係合棒２２の孔２２ａを貫通してバンド２６の他端に至らしめる。次に、連結ピン２３のピン２３ａを押し込みながら、挿通枠２１の縦枠２１ａをバンド２６の端部に挿入する。最後に、ピン２３ａが縦枠２１ａの孔２１ｃに係合して、バンド２６の端部に尾錠が取り付けられる。
【００２４】
本実施形態においては、筒体２４が弾性材料で作られているので、筒体２４に挿通枠２１が容易に挿通される。特に、挿通枠２１の枠縁２１ａ、２１ｂが直線的に延びる円柱状なので、筒体２４に対して枠縁２１ａ、２１ｂが極めて容易に挿通される。
また、筒体２４が弾性材料で作られているので、筒体２４の内周面と挿通枠２１の外周面との間に隙間ができたり、筒体２４の外周面に皺ができたりすることはない。特に、図３に示すように、筒体２４の内周面が横枠２１ｂの外周面に弾性的に圧接するようにすれば、筒体２４と横枠２１ｂとの間に隙間ができにくいので、筒体２４が横枠２１ｂに対して弛まない。さらにこのようにすると、外方に拡開する張力が筒体２４に加わることにより、筒体２４の外表面が伸び広がるので、筒体２４の外表面に皺ができにくい。
【００２５】
（第２実施形態）
図４は第２実施形態を示す切断側面図である。
本形態では、合成皮革、あるいは天然皮革などよりなる皮革材３１により筒体３０を形成している。
すなわち、皮革材３１は、平板状の合成皮革、あるいは天然皮革である。この皮革材３１における一端側３１ａには、先端に向かって次第に薄くなるように一方の斜面が形成される。皮革材３１における他端側３１ｂには、同じく先端に向かって次第に薄くなるように他方の斜面が形成される。一端側３１ａにおける一方の斜面は、皮革材３１の表側から裏側に向かって傾き、他端側３１ｂにおける他方の斜面は、逆に皮革材３１の裏側から表側に向かって傾く。よって、一端側３１ａにおける一方の斜面と他端側３１ｂにおける他方の斜面とは、重ねて重合できるように、互いに逆方向の斜面として形成される。
【００２６】
皮革材３１を被覆体として横枠２１ｂに巻き着け、一端側３１ａ及び他端側３１ｂの両斜面を皮革材３１の表裏方向に重ね合わせる。そして、両斜面を重ね合わせた重合部を接着、超音波溶着、あるいは縫合などにより接合して、筒体３０が形成される。
一端側３１ａ及び他端側３１ｂの両斜面を重ね合わせた重合部の厚みは、筒体３０における重合部以外の厚みとほぼ同じになる。よって、均一な厚みを備える美しい筒体３０が得られる。
【００２７】
この実施形態では、横枠２１ｂが直線状の円柱なので、皮革材３１を容易に巻き着けることができる。同様に直線状の円柱である縦枠２１ｂに、皮革材３１が巻き着けられて、筒体が取り付けられてもよい。
また、このような直線的に延びる円柱状の横枠２１ｂに、皮革材３１を巻き付けて筒体３０とすれば、筒体３０は、美しい直線的な中空の円柱となる。皺がよって筒体３０の見栄えが悪くなることもない。よって、筒体３０によって挿通枠２１が美しく装飾される。
柔軟な皮革の場合は、予め筒体３０を作成し、これを第１実施形態と同じように挿通枠２１に嵌めてもよい。
【００２８】
この実施形態では、横枠２１ｂも縦枠２１ｂも直線的な円柱であるが、皮革材３１が巻かれない縦枠２１ｂは、円柱以外の形状、たとえば角柱であってもかまわない。逆に、縦枠２１ｂに皮革材３１が巻き着かれるのであれば、横枠２１ｂが円柱以外の形状であってもよい。
【００２９】
（第３実施形態）
図５は第３実施形態を示す斜視図、図６は切断側面図、図７は使用例を示す斜視図である。
本例では、第１実施形態と同様に合成樹脂やゴムで形成された筒体３５が、挿通枠２１の横枠２１ｂに対し回転可能に嵌合するように構成されている。この場合、図６に示すように、筒体３５の内周面と横枠２１ｂの外周面との間に、美観を損ねないようなわずかな隙間３６をつくれば、横枠２１ｂに対する筒体３５の回転が円滑になる。
【００３０】
そして、図５に示すように、筒体３５の表面には、模様２５以外に、円周方向に他の模様３７「ＤＤＤ」が付される。したがって、筒体３５を回転させることにより、バンドの表側に位置する模様２５「ＡＢＣ」が模様３７「ＤＤＤ」に入れ替わる。このように、筒体３５の回転により、尾錠の外観の趣を容易に変えることができる。この場合、筒体３５の表面に設けられる模様の数は、２つ以上の複数であれば、いくつでもよい。
【００３１】
さらに、図７に示すように、バンドを腕に装着する為、他方のバンド３８を挿通枠２１の内部に引き通す場合、他方のバンド３８が接触して筒体３５が回転するので、他方のバンド３８が挿通枠２１に容易に挿入される。
この実施形態では、横枠２１ｂが円柱状、特に直線的に延びる円柱状なので、筒体３５は横枠２１ｂの周囲を円滑に回転できる。加えて、筒体３５が直線的な中空の円柱なので、横枠２１ｂに対する筒体３５の回転は、さらに円滑さを増すようになる。
【００３２】
この実施形態では、筒体３５の内周面と横枠２１ｂの外周面との間に、わずかな隙間３６を設けた。しかしながら、第１実施形態における図３に示すように、筒体２４の内周面と横枠２１ｂの外周面とが接触していても、筒体２４は横枠２１ｂに対して摺動するように回転できる。
また、第２実施形態における図４に示すように、皮革からなる筒体３０であっても、横枠２１ｂに対して回転させることができる。この場合、図３に示すように、筒体３０の内周面と横枠２１ｂの外周面との間に、わずかな隙間を設けるこことが好ましいが、この隙間は無くても筒体３０は横枠２１ｂに接触しながら回転できる。
【００３３】
（第４実施形態）
図８は第４実施形態を示す斜視図である。
本例では、２個の筒体４０と４１が、バンドの横方向に沿って並列されるように、それぞれ回転可能に横枠２１ｂに嵌合している。筒体４０の外周面には、円周方向に模様４２「ＤＥＦ」が付され、筒体４１の外周面には、円周方向に模様４３「ＡＢＣ」が設けられる。
【００３４】
たとえば、筒体４０と４１それぞれに、第３実施形態のように、複数の模様が設けられてもよい。さらに、加えて、筒体４０と４１それぞれに付けられた模様の左右の組合せで、１つの模様が形成されるように構成されてもよい。すると、筒体４０と４１それぞれを回転させれば、筒体４０と４１の模様の組合せが様々に変わるので、多数の模様を作り出して楽しむことができる。もちろん、筒体４０と４１それぞれに、左右関係のない模様を設けてもよい。
【００３５】
本例では、２個の筒体４０と４１が、横枠２１ｂに取り付けられたが、筒体はいくつ取り付けられてもよい。
また、たとえば、筒体４０が合成樹脂やゴムなどの可撓性材料からなり、筒体４１が皮革からなるなどのように、横枠２１ｂに取り付けられた複数の筒体のうち、少なくとも１つの筒体の材質が他の筒体の材質と異なってもよい。すると、尾錠の外観に、さらに趣のある美観が与えられる。
【００３６】
（第５実施形態）
図９は第５実施形態を示す斜視図である。
本例では、挿通枠２１における一対の縦枠２１ａそれぞれに筒体４４、４５が取り付けられる。すなわち、一方の筒体４４に縦枠２１ａの一方が挿通され、他方の筒体４５に縦枠２１ａの他方が挿通される。一方の筒体４４の外表面には模様「ＡＢＣ」が付され、そして他方の筒体４５の外表面には模様「ＤＥＦ」が付されている。
【００３７】
筒体４４と４５は、第１実施形態のような弾性材料からなる筒体であっても、第２実施形態のような皮革からなる筒体であってもよい。あるいは、筒体４４と４５は、ステンレス、黄銅、チタン、チタン合金などの金属であってもかまわない。この場合、金属からなる筒体４４と４５に対して、縦枠２１ａの開放端部が容易に挿通されるので、筒体４４と４５は縦枠２１ａに容易に取り付けられる。また、筒体４４と４５の材質が異なってもよい。
【００３８】
また、この実施形態では、一対の縦枠２１ａそれぞれに筒体４４、４５が取り付けられたが、一対の縦枠２１ａのどちらか一方のみに筒体が取り付けられてもよい。
また、筒体４４と４５は、第３実施形態のように、縦枠２１ａに対して回転可能に取り付けられてもよい。すると、第３実施形態と同様に、他方のバンドが挿通枠２１に容易に引き通される。さらに、第３実施形態と同様に、筒体４４と４５の少なくとも一方の外表面には、複数の模様が設けられることが好ましい。
あるいは、第４実施形態のように、一対の縦枠２１ａの少なくともどちらか一方に、複数の筒体が取り付けられてもよい。
このように、縦枠に筒体が取り付けられたうえに、上記の第１から４実施形態のように、横枠に筒体が取り付けられてもよい。
【００３９】
上記の各実施形態では、挿通枠の横枠と縦枠のうち、少なくともいずれか一方に筒体が嵌合されるが、筒体は横枠と縦枠に跨るように取り付けられてもよい。
また、上記の各実施形態における筒体の上に、ステンレス、黄銅、チタン、チタン合金などの金属からなる筒体である金属外殻が被せられてもよい。このような金属外殻は、金属板を筒体の上から巻き付けられて形成されてもよい。あるいは、第５実施形態のように、縦枠に取り付けられるのであれば、筒体を金属のパイプである金属外殻の中に挿通し、さらに金属外殻の中の筒体に、縦枠の開放端部が挿通されてもよい。
このような金属外殻に、塗装、湿式めっき、あるいは乾式めっきなどで、被膜が被覆されれば、さらに尾錠の美観が向上する。
まお、以上の実施形態のうち、少なくとも２つの実施形態を組み合わせて、さらに様々な実施形態をつくることができる。
【００４０】
【発明の効果】
本発明によれば、挿通枠に取り付けられた筒体の表面には皺やたるみがないので、外観の美しい尾錠を提供することができる。また、筒体は容易に挿通体に取り付けることができるので、このような尾錠を容易に、かつ安価に製造することができる。本発明は、帯状装身具の尾錠、すなわち腕時計やブレスレットなどの尾錠やベルトなどの尾錠などに適用することができる。
【図面の簡単な説明】
【図１】本発明の第１実施形態による尾錠を示す分解斜視図である。
【図２】その尾錠を示す斜視図である。
【図３】切断側面図である。
【図４】第２実施形態を示す切断側面図である。
【図５】第３実施形態を示す斜視図である。
【図６】切断側面図である。
【図７】使用例を示す斜視図である。
【図８】第４実施形態を示す斜視図である。
【図９】第５実施形態を示す斜視図である。
【図１０】従来のバンドの尾錠を示す斜視図である。
【図１１】挿通枠の断面図である。
【符号の説明】
１　　　　　　　　バンド
２　　　　　　　　挿通枠
３　　　　　　　　係合棒
４　　　　　　　　尾錠
５　　　　　　　　バンド
６　　　　　　　　係合孔
７　　　　　　　　巻き体
８　　　　　　　　留め代
１０　　　　　　枠縁
１１　　　　　　隙間
２０　　　　　　尾錠
２１　　　　　　挿通枠
２１ａ　　　　縦枠
２１ｂ　　　　横枠
２１ｃ　　　　孔
２２　　　　　　係合棒
２２ａ　　　　孔
２３　　　　　　連結ピン
２３ａ　　　　ピン
２４　　　　　　筒体
２５　　　　　　模様
２６　　　　　　バンド
２７　　　　　　輪状部
２７ａ　　　　溝
３０　　　　　　筒体
３１　　　　　　皮革材
３１ａ　　　　一端側
３１ｂ　　　　他端側
３５　　　　　　筒体
３６　　　　　　隙間
３７　　　　　　模様
３８　　　　　　バンド
４０　　　　　　筒体
４１　　　　　　筒体
４２　　　　　　模様
４３　　　　　　模様
４４　　　　　　一方の筒体
４５　　　　　他方の筒体
【図１】
2004135745.tif 000003
【図２】
2004135745.tif 000004
【図３】
2004135745.tif 000005
【図４】
2004135745.tif 000006
【図５】
2004135745.tif 000007
【図６】
2004135745.tif 000008
【図７】
2004135745.tif 000009
【図８】
2004135745.tif 000010
【図９】
2004135745.tif 000011
【図１０】
2004135745.tif 000012
【図１１】
2004135745.tif 000013